(57)【要約】    【課題】      インターフェースレジスタにおいて、ＡＣＫ／ＮＡＣＫ信号の入出力を容易に管理でき、かつ、ＡＣＫ／ＮＡＣＫ信号が基地局に送信されることなく上書き消去されることを防止できるＨＳＤＰＡ方式による通信端末装置を提供すること。    【解決手段】  Ｉ／Ｆレジスタ１０３は、復号化部１１４から入力されてくるＡＣＫ／ＮＡＣＫ信号を、その入力時におけるサブフレームカウンタ２１１のカウンタ値に対応したレジスタ２０２の保持部「レジスタ０〜４」に保持する。また、Ｉ／Ｆレジスタ１０３は、サブフレームカウンタ２２１のカウンタ値を常時監視し、そのカウンタ値が次の値にカウントアップされることを感知すると、現カウンタ値に対応付けされたレジスタ２０２の保持部「レジスタ０〜４」に保持されたＡＣＫ／ＮＡＣＫ信号を符号化部１２１に入力する。  【選択図】      図２
2005136597.tif 000002
【特許請求の範囲】
【請求項１】
基地局から送信されてくるパケットデータを受信し、受信された前記パケットデータの復号結果を示すＡＣＫ／ＮＡＣＫ信号を前記パケットデータのサブフレーム単位で生成する受信手段と、
生成された前記ＡＣＫ／ＮＡＣＫ信号を複数保持するインターフェースレジスタと、
前記インターフェースレジスタに保持された前記ＡＣＫ／ＮＡＣＫ信号を生成された順に前記基地局へ送信する送信手段と、を具備することを特徴とするＨＳＤＰＡ方式による通信端末装置。
【請求項２】
前記インターフェースレジスタは、前記サブフレーム単位で生成された前記ＡＣＫ／ＮＡＣＫ信号を個別に５つ保持する、ことを特徴とする請求項１記載のＨＳＤＰＡ方式による通信端末装置。
【請求項３】
前記インターフェースレジスタは、前記受信手段によって前記サブフレーム単位で生成された前記ＡＣＫ／ＮＡＣＫ信号を個別に保持する５つのレジスタと、
５つの前記レジスタに順に前記サブフレーム単位で生成された前記ＡＣＫ／ＮＡＣＫ信号を入力する第１のセレクタと、
５つの前記レジスタにそれぞれ保持された前記サブフレーム単位で生成された前記ＡＣＫ／ＮＡＣＫ信号を、生成された順に前記送信手段に入力する第２のセレクタと、を具備することを特徴とする請求項１記載のＨＳＤＰＡ方式による通信端末装置。
【請求項４】
基地局から送信されてくるパケットデータを受信し、受信された前記パケットデータの復号結果を示すＡＣＫ／ＮＡＣＫ信号を前記パケットデータのサブフレーム単位で生成する受信手段と、
前記サブフレーム単位で生成された前記ＡＣＫ／ＮＡＣＫ信号を複数保持するメモリと、
前記メモリに保持された前記ＡＣＫ／ＮＡＣＫ信号を生成された順に前記基地局へ送信する送信手段と、を具備することを特徴とするＨＳＤＰＡ方式による通信端末装置。
【発明の詳細な説明】
【技術分野】
【０００１】
本発明は、ＨＳＤＰＡ(High Speed Downlink Packet Access)方式において、受信信号を正しく復号できたか否かを示すＡＣＫ／ＮＡＣＫ信号を送信する通信端末装置に関する。
【背景技術】
【０００２】
近年、第３世代携帯電話システムの標準化団体である３ＧＰＰでは、無線通信の伝送速度を飛躍的に向上させるＨＳＤＰＡ方式が検討されている。ＨＳＤＰＡ方式において、ＨＳＤＰＡ用のチャネルとしては基地局から移動局に無線信号を送信するダウンリンク（以下、「ＤＬ」と称する）として、パケットデータ用のチャネルであるＨＳ−ＰＤＳＣＨ(High Speed Physical Downlink Shared Channel)と、このＨＳ−ＰＤＳＣＨを受信するために必要なチャネライゼーションコード、多重数及び変調方式等の情報を伝送する制御チャネルであるＨＳ−ＳＣＣＨ(High Speed Shared Control Channel)と、が規定されており、これらのチャネルがセットで送信される。
【０００３】
また、ＨＳＤＰＡ方式において、移動局から基地局に無線信号を送信するアップリンク（以下、「ＵＬ」と称する）として、ＨＳ−ＤＰＣＣＨ(High Speed Dedicated Physical Control Channel)が規定されており、このＨＳ−ＤＰＣＣＨでは、ＨＳ−ＰＤＳＣＨの受信信号が移動局で正しく復号されたか否かを表すＡＣＫ／ＮＡＣＫ信号と、移動局と基地局との間の回線品質情報ＣＱＩ(Channel Quality Indicator)と、が送信される。このＡＣＫ／ＮＡＣＫ信号は、ＨＳ−ＰＤＳＣＨのサブフレーム毎に生成される。また、ＣＱＩは、ＤＬチャネルの一つである共通パイロットチャネルＣＰＩＣＨ(Common Pilot Channel)から算出されるＳＮＲ(Signal to Noise Ratio)に基づいて生成される。ＳＮＲは伝搬路状況を示す尺度であるから、基地局は、高いＳＮＲに基づいて生成されたＣＱＩを受信したときには、ＨＳ−ＰＤＳＣＨの伝送レートを上げることができる。
【０００４】
図５に、ＨＳ−ＳＣＣＨ、ＨＳ−ＰＤＳＣＨ及びＨＳ−ＤＰＣＣＨそれぞれのフレームフォーマットを示す。ＨＳ−ＳＣＣＨ、ＨＳ−ＰＤＳＣＨ及びＨＳ−ＤＰＣＣＨでは、３スロット：２ｍｓｅｃでサブフレーム単位が構成される。ＨＳ−ＤＰＣＣＨは、任意のサブフレームの最初の１スロットがＡＣＫ／ＮＡＣＫ信号の格納されるＡＣＫ／ＮＡＣＫフィールドであり、その後ろの２スロットがＣＱＩの格納されるＣＱＩフィールドである。
【０００５】
また、図６に、ＤＬ−ＤＰＣＨ(Down Link Dedicated Physical CHannel)のフレームフォーマットを示す。ＤＬ−ＤＰＣＨでは、１５スロット：１０ｍｓｅｃでフレーム単位が構成される。従って、ＤＬ−ＤＰＣＨの１フレームが送信される間に、ＨＳ−ＳＣＣＨ、ＨＳ−ＰＤＳＣＨ又はＨＳ−ＤＰＣＣＨでは、５つのサブフレームが送信されることになる。
【０００６】
図７、図８及び図９に、ＣＰＩＣＨ及びＤＬ−ＤＰＣＨのフレームと、ＨＳ−ＳＣＣＨ、ＨＳ−ＰＤＳＣＨ及びＨＳ−ＤＰＣＣＨそれぞれのサブフレームと、のタイミング関係を示す。ＨＳ−ＳＣＣＨのスロットバウンダリとＣＰＩＣＨのスロットバウンダリは常に一致した状態で基地局から送信される。また、ＨＳ−ＳＣＣＨとＨＳ−ＰＤＳＣＨとは、２スロットのオフセットをつけてサブフレーム単位のセットで送信される。また、ＨＳ−ＰＤＳＣＨのサブフレームについてのＡＣＫ／ＮＡＣＫ信号は、移動局によってそのサブフレームの受信が完了してから７．５スロット経過後に、ＨＳ−ＤＰＣＣＨのＡＣＫ／ＮＡＣＫフィールドに格納されて、移動局から基地局に送信される。また、ＤＬ−ＤＰＣＨでは、ＣＰＩＣＨの任意のフレームを基準として２５６ｃｈｉｐ単位でオフセットが生じている。
【０００７】
ところで、ＤＬ−ＤＰＣＨのフレーム番号を示す値としてＣＦＮ(Connection Frame Number)を使用するとき、ＤＬ−ＤＰＣＨのフレームバウンダリとＨＳ−ＳＣＣＨ又はＨＳ−ＰＤＳＣＨのサブフレームバウンダリが一致しない場合があるため、ＤＬ−ＤＰＣＨのＣＦＮ番号に対応するＨＳ−ＳＣＣＨ及びＨＳ−ＰＤＳＣＨのサブフレームの決め方を予め定義しておく必要がある。例えば、図７に示す態様では、ＣＦＮ番号に対応するＨＳ−ＳＣＣＨ及びＨＳ−ＰＤＳＣＨのサブフレームは、ＣＰＩＣＨのスロットバウンダリについているＨＳ−ＳＣＣＨのサブフレーム及びこのサブフレームから２スロットのオフセットを有するＨＳ−ＰＤＳＣＨのサブフレームをそれぞれSubframe#0として、それらのSubframe#0からSubframe#4までとなる。また、図８に示す態様では、ＤＬ−ＤＰＣＨのフレームバウンダリを含むＨＳ−ＳＣＣＨのサブフレームをSubframe#0として、そのSubframe#0からSubframe#4までとなり、図９に示す態様では、ＤＬ−ＤＰＣＨのフレームバウンダリを含むＨＳ−ＰＤＳＣＨのサブフレームをSubframe#0として、そのSubframe#0からSubframe#4までとなる。
【０００８】
また、図１０に、図８に示す態様におけるＤＬ−ＤＰＣＨのフレームと、ＨＳ−ＳＣＣＨ、ＨＳ−ＰＤＳＣＨ及びＨＳ−ＤＰＣＣＨそれぞれのサブフレームと、のタイミング関係を示す。
【０００９】
なお、ＨＳＤＰＡ方式における各チャネルに関する規格及びその説明が非特許文献１に記載されている。
【非特許文献１】3GPP TS 25.211: "Physical channels and mapping of transport channels onto physical channels(Release5)
【発明の開示】
【発明が解決しようとする課題】
【００１０】
しかしながら、ＨＳＤＰＡ方式による移動局等の通信端末装置がＡＣＫ／ＮＡＣＫ信号をＨＳ−ＤＰＣＣＨで送信するタイミングは、上述の通りＨＳ−ＰＤＳＣＨのサブフレームの受信完了時から７．５スロット経過した後である。そのため、この通信端末装置は、ＨＳ−ＰＤＳＣＨのサブフレーム毎に生成されたＡＣＫ／ＮＡＣＫ信号を、基地局への送信が完了するまでの間保持しなければならない。例えば、ＨＳＤＰＡ方式による通信端末装置において、図１０に示す態様でＨＳ−ＰＤＳＣＨのサブフレーム毎の受信信号が逆拡散処理、復調処理及び復号化処理を施されることにより、ＡＣＫ／ＮＡＣＫ信号が生成されるとする。この図１０に示す態様の場合、ＨＳ−ＰＤＳＣＨのSubframe#1についてのＡＣＫ／ＮＡＣＫ信号が送信される前に、このＡＣＫ/ＮＡＣＫ信号が保持されているＡＣＫ／ＮＡＣＫ−インターフェースレジスタにＨＳ−ＰＤＳＣＨのSubframe#2についてのＡＣＫ／ＮＡＣＫ信号が入力されてしまい、Subframe#1についてのＡＣＫ／ＮＡＣＫ信号が基地局へ送信されることなく上書き消去されてしまう問題がある。
【００１１】
本発明はかかる点に鑑みてなされたものであり、ＡＣＫ／ＮＡＣＫ信号の入出力の管理・制御が容易で、かつ、そのＡＣＫ/ＮＡＣＫ信号が基地局へ送信されることなく上書き消去されてしまうことを防止できるインターフェースレジスタを具備するＨＳＤＰＡ方式による通信端末装置を提供することを目的とする。
【課題を解決するための手段】
【００１２】
本発明に係るＨＳＤＰＡ方式による通信端末装置は、基地局から送信されてくるパケットデータを受信し、受信された前記パケットデータの復号結果を示すＡＣＫ／ＮＡＣＫ信号を前記パケットデータのサブフレーム単位で生成する受信手段と、生成された前記ＡＣＫ／ＮＡＣＫ信号を複数保持するインターフェースレジスタと、前記インターフェースレジスタに保持された前記ＡＣＫ／ＮＡＣＫ信号を生成された順に前記基地局へ送信する送信手段と、を具備する構成を採る。
【００１３】
この構成によれば、ＨＳ−ＰＤＳＣＨのサブフレーム単位で生成されたＡＣＫ／ＮＡＣＫ信号をインターフェースレジスタが個別に複数保持できるため、インターフェースレジスタにおいて、任意のＡＣＫ／ＮＡＣＫ信号が送信される前に上書き消去されることを容易、かつ、確実に防止することができる。
【００１４】
本発明に係るＨＳＤＰＡ方式による通信端末装置は、前記発明において、前記インターフェースレジスタは、前記サブフレーム単位で生成された前記ＡＣＫ／ＮＡＣＫ信号を個別に５つ保持する、構成を採る。
【００１５】
この構成によれば、前記発明による効果に加えて、インターフェースレジスタがＨＳ−ＰＤＳＣＨのサブフレーム単位で生成されたＡＣＫ／ＮＡＣＫ信号を個別に５つ保持することができるため、ＨＳ−ＰＤＳＣＨのサブフレーム毎に生成されたＡＣＫ／ＮＡＣＫ信号をＤＬ−ＤＰＣＨのＣＦＮ番号に対応させた５つのサブフレームの番号で管理できることから、インターフェースレジスタにおけるＡＣＫ／ＮＡＣＫ信号の管理が容易となり、インターフェースレジスタ及びその周辺の回路構成を簡素化することができる。
【００１６】
本発明に係るＨＳＤＰＡ方式による通信端末装置は、前記発明において、前記インターフェースレジスタは、前記受信手段によって前記サブフレーム単位で生成された前記ＡＣＫ／ＮＡＣＫ信号を個別に保持する５つのレジスタと、５つの前記レジスタに順に前記サブフレーム単位で生成された前記ＡＣＫ／ＮＡＣＫ信号を入力する第１のセレクタと、５つの前記レジスタにそれぞれ保持された前記サブフレーム単位で生成された前記ＡＣＫ／ＮＡＣＫ信号を、生成された順に前記送信手段に入力する第２のセレクタと、を具備する構成を採る。
【００１７】
この構成によれば、インターフェースレジスタがサブフレーム単位で生成されたＡＣＫ／ＮＡＣＫ信号を個別に保持するレジスタを５つ具備し、かつ、その５つのレジスタにＡＣＫ／ＮＡＣＫ信号を生成された順に入出力する第１及び第２のセレクタを具備するため、ＨＳ−ＰＤＳＣＨのサブフレーム毎に生成されたＡＣＫ／ＮＡＣＫ信号をＤＬ−ＤＰＣＨのＣＦＮ番号に対応させたサブフレームの番号で管理できることから、インターフェースレジスタにおけるＡＣＫ／ＮＡＣＫ信号の管理が容易となり、インターフェースレジスタ及びその周辺の回路構成を簡素化することができる。
【００１８】
本発明に係るＨＳＤＰＡ方式による通信端末装置は、基地局から送信されてくるパケットデータを受信し、受信された前記パケットデータの復号結果を示すＡＣＫ／ＮＡＣＫ信号を前記パケットデータのサブフレーム単位で生成する受信手段と、前記サブフレーム単位で生成された前記ＡＣＫ／ＮＡＣＫ信号を複数保持するメモリと、前記メモリに保持された前記ＡＣＫ／ＮＡＣＫ信号を生成された順に前記基地局へ送信する送信手段と、を具備する構成を採る。
【００１９】
この構成によれば、ＨＳ−ＰＤＳＣＨのサブフレーム単位で生成された複数のＡＣＫ／ＮＡＣＫ信号をメモリが個別に保持できるため、このメモリおいて任意のＡＣＫ／ＮＡＣＫ信号が送信される前に上書き消去されることを容易、かつ、確実に防止することができる。さらに、この構成によれば、汎用性の高いメモリを使用するため、通信端末装置の部品の共用化や集積化を図ることができる。
【発明の効果】
【００２０】
本発明によれば、ＨＳＤＰＡ方式による通信端末装置がその具備する受信部と送信部との間にＨＳ−ＰＤＳＣＨのサブフレーム毎に生成されたＡＣＫ／ＮＡＣＫ信号を個別に複数保持できるインターフェースレジスタを具備するため、受信部における受信信号の復調処理及び復号化処理の処理時間の長短にかかわらず、生成されたＡＣＫ／ＮＡＣＫ信号を基地局へ確実に、かつ、簡便に送信することができる。
【発明を実施するための最良の形態】
【００２１】
本発明の骨子は、ＨＳＤＰＡ方式で使用される通信端末装置が、ＨＳ−ＰＤＳＣＨで送信されてくるパケットデータのサブフレーム毎に生成されるＡＣＫ／ＮＡＣＫ信号を個別に複数保持できるインターフェースレジスタを具備することである。
【００２２】
以下、本発明に係る実施の形態について、図面を参照しつつ詳細に説明する。
【００２３】
（実施の形態１）
図１に、本発明の実施の形態１に係るＨＳＤＰＡ方式による通信端末装置１００の構成を示す。通信端末装置１００は、通常は携帯電話等の移動局に組み込まれて使用されるものであり、アンテナ素子１０１、アンテナ共用器１０２、ＡＣＫ／ＮＡＣＫ−Ｉ／Ｆレジスタ（以下、「Ｉ／Ｆレジスタ」と表記する）１０３、受信部１１０及び送信部１２０を具備する。また、受信部１１０は、ＲｘＲＦ部１１１、逆拡散器１１２、復調部１１３及び復号化部１１４を具備し、送信部１２０は、符号化部１２１、変調部１２２、拡散器１２３及びＴｘＲＦ部１２４を具備する。
【００２４】
また、図２に、復号化部１１４、Ｉ／Ｆレジスタ１０３及び符号化部１２１それぞれの細部構成を示す。復号化部１１４は、サブフレームカウンタ２１１を具備し、同様に符号化部１２１もサブフレームカウンタ２２１を具備する。Ｉ／Ｆレジスタ１０３は、セレクタ２０１、２０３及びＡＣＫ／ＮＡＣＫ信号の保持部である５つのレジスタ０〜４からなるレジスタ２０２を含んで構成される。
【００２５】
アンテナ素子１０１は、基地局から無線送信されてくるパケットデータを受信し、その受信信号をアンテナ共用器１０２に入力する。また、アンテナ素子１０１は、アンテナ共用器１０２から入力されてくるＡＣＫ／ＮＡＣＫ信号が格納された送信信号を基地局に無線送信する。
【００２６】
アンテナ共用器１０２は、アンテナ素子１０１から入力されてくる受信信号をＲｘＲＦ部１１１に入力し、またＴｘＲＦ部１２４から入力されてくる送信信号をアンテナ素子１０１に入力する。
【００２７】
ＲｘＲＦ部１１１は、公知のバンドパスフィルタ、Ａ／Ｄ変換器及び低雑音増幅器等を具備して、アンテナ共用器１０２から入力されてくる受信信号をＤＬ−ＤＰＣＨとＣＰＩＣＨとＨＳ−ＳＣＣＨとＨＳ−ＰＤＳＣＨとのチャネル別に分離して増幅した後に、そのチャネル別の受信信号をチップデータに変換して順次逆拡散器１１２に入力する。
【００２８】
逆拡散器１１２は、ＲｘＲＦ部１１１から入力されてくるチャネル別のチップデータをサブフレーム単位で逆拡散処理し、逆拡散処理によって生成されたビットデータを復調部１１３に入力する。
【００２９】
復調部１１３は、逆拡散器１１２から入力されてくるチャネル別のビットデータをシンボルデータに復調し、復調されたチャネル別のシンボルデータを復号化部１１４に入力する。また、復調部１１３は、ＣＰＩＣＨのサブフレーム毎に算出されるＳＮＲに基づいてＣＱＩを生成し、生成されたＣＱＩを逐次符号化部１２１に入力する。
【００３０】
復号化部１１４は、復調部１１３から入力されてくるＨＳ−ＳＣＣＨのシンボルデータに誤り訂正復号化処理を施して、誤り訂正復号化処理によって生成されたデータに含まれるＣＦＮ番号に対応するＨＳ−ＰＤＳＣＨのサブフレームについての情報を抽出し、抽出された情報に基づいてサブフレームカウンタ２１１のカウントアップのタイミングを調節する。また、復号化部１１４は、この抽出された情報を符号化部１２１に入力する。また、復号化部１１４は、ＨＳ−ＰＤＳＣＨのシンボルデータを誤り訂正復号化処理して、そのシンボルデータを正しく復号できたときには、ＡＣＫ信号をＩ／Ｆレジスタ１０３に入力すると伴に誤り訂正復号化処理によって生成されたデータを図示しないベースバンド部に入力する。一方で、復号化部１１４は、ＨＳ−ＰＤＳＣＨのシンボルデータを正しく復号できなかったときには、Ｉ／Ｆレジスタ１０３にＮＡＣＫ信号を入力し、誤り訂正復号化処理によってデータが生成されないことから、ベースバンド部にはデータを入力しない。
【００３１】
Ｉ／Ｆレジスタ１０３は、復号化部１１４から入力されてくるＡＣＫ／ＮＡＣＫ信号を、その入力時におけるサブフレームカウンタ２１１のカウンタ値に対応したレジスタ２０２の保持部「レジスタ０〜４」に保持する。また、Ｉ／Ｆレジスタ１０３は、サブフレームカウンタ２２１のカウンタ値を常時監視し、そのカウンタ値が次の値にカウントアップされることを感知すると、現カウンタ値に対応付けされたレジスタ２０２の保持部「レジスタ０〜４」に保持されたＡＣＫ／ＮＡＣＫ信号を符号化部１２１に入力する。なお、サブフレームカウンタ２１１のカウンタ値はセレクタ２０１により、またサブフレームカウンタ２２１のカウンタ値はセレクタ２０３により常時監視されている。そして、セレクタ２０１は、サブフレームカウンタ２１１のカウンタ値に対応付けられたレジスタ２０２の保持部「レジスタ０〜４」に復号化部１１４から入力されてくるＡＣＫ／ＮＡＣＫ信号を入力し、一方でセレクタ２０３は、サブフレームカウンタ２２１のカウンタ値に対応付けられたレジスタ２０２の保持部「レジスタ０〜４」に保持されているＡＣＫ／ＮＡＣＫ信号を取り出して符号化部１２１に入力する。ここで、サブフレームカウンタ２１１、２２１のカウンタ値に対応付けられたレジスタ２０２の保持部「レジスタ０〜４」とは、例えばＨＳ−ＰＤＳＣＨのSubframe#1に対応するサブフレームカウンタ２１１、２２１のカウンタ値は「１」であるから、このカウンタ値に対応付けされたレジスタ２０２の保持部は「レジスタ１」となる。同様に、ＨＳ−ＰＤＳＣＨのSubframe#0に対応するサブフレームカウンタ２１１、２２１のカウンタ値は「０」であるから、このカウンタ値に対応付けされたレジスタ２０２の保持部は「レジスタ０」となる。
【００３２】
符号化部１２１は、復号化部１１４から入力されてくるＣＦＮ番号に対応するＨＳ−ＰＤＳＣＨのサブフレームについての情報に基づいてサブフレームカウンタ２２１のカウントアップのタイミングを調節する。ここで、サブフレームカウンタ２２１は、受信部１１０がＨＳ−ＰＤＳＣＨの任意のサブフレームの受信を完了した時から７．５スロット経過した時にそのサブフレームについてのＡＣＫ／ＮＡＣＫ信号がアンテナ素子１０１から基地局へ無線送信されるように、符号化部１２１においてＨＳ−ＤＰＣＣＨのＡＣＫ／ＮＡＣＫフィールドにそのサブフレームのＡＣＫ／ＮＡＣＫ信号が格納されるべきタイミングを算出する。そして、サブフレームカウンタ２２１は、算出されたタイミングにおいて、カウンタ値がそのサブフレームに対応した値となるように調節される。また、符号化部１２１は、サブフレームカウンタ２２１のカウンタ値が次の値にカウントアップされる直前にＩ／Ｆレジスタ１０３から入力されてくるＡＣＫ／ＮＡＣＫ信号をＨＳ−ＤＰＣＣＨのＡＣＫ／ＮＡＣＫフィールドに格納すると伴に、復調部１１３から入力されてくるＣＱＩをＨＳ−ＤＰＣＣＨのＣＱＩフィールドに格納する。そして、符号化部１２１は、ＡＣＫ／ＮＡＣＫ信号及びＣＱＩをそれぞれ格納した送信信号に符号化処理を施して、この符号化された送信信号を変調部１２２に入力する。
【００３３】
変調部１２２は、符号化部１２１から入力されてくる符号化された送信信号にＱＰＳＫ方式等の変調処理を施し、変調された送信信号を拡散器１２３に入力する。
【００３４】
拡散器１２３は、変調部１２２から入力されてくる送信信号に拡散処理を施し、拡散された送信信号をＴｘＲＦ部１２４に入力する。
【００３５】
ＴｘＲＦ部１２４は、公知のバンドパスフィルタ、低雑音増幅器及びＤ／Ａ変換器等を具備し、拡散器１２３から入力されてくる送信信号に所定の信号処理を施した後に、処理された送信信号をアンテナ共用器１０２に入力する。
【００３６】
次いで、図３を用いてＨＳＤＰＡ方式による通信端末装置１００の動作について説明する。図３では、図１０と同様に、図８に示す態様におけるＤＬ−ＤＰＣＨのフレームと、ＨＳ−ＳＣＣＨ、ＨＳ−ＰＤＳＣＨ及びＨＳ−ＤＰＣＣＨそれぞれのサブフレームと、のタイミング関係が成立しているものとする。また、以下では、ＨＳ−ＰＤＳＣＨのSubframe#1を受信した時を主な例として、通信端末装置１００の動作について説明する。
【００３７】
受信部１１０に入力されたＨＳ−ＰＤＳＣＨのSubframe#1のパケットデータは、ＲｘＲＦ部１１１でチップデータに変換されて順次逆拡散器１１２に入力され、続いて逆拡散器１１２で逆拡散処理を施された後にサブフレーム単位で復調部１１３に入力され、続いて復調部１１３でサブフレーム単位で復調処理を施された後に復号化部１１４に入力され、続いて復号化部１１４で誤り訂正復号化処理を施される。ここで、ＨＳ−ＰＤＳＣＨのSubframe#1のシンボルデータを誤り訂正復号化処理することによって正しくデータを復号できたときには、この誤り訂正復号化処理が完了した時のサブフレームカウンタ２１１のカウンタ値「１」に対応付けられたレジスタ２０２の保持部「レジスタ１」にセレクタ２０１を介して、ＡＣＫ信号を表す例えば「１」という信号が入力される。また一方で、シンボルデータを誤り訂正復号化処理することによって正しくデータを復号できなかったときには、前記レジスタ１にセレクタ２０１を介して、ＮＡＣＫ信号を表す例えば「０」という信号が入力される。なお、サブフレームカウンタ２１１は、ＨＳ−ＰＤＳＣＨのSubframe#1より２スロット前に入力されてくるＨＳ−ＳＣＣＨのSubframe#1のデータに含まれるＣＦＮ番号に対応するＨＳ−ＰＤＳＣＨのサブフレームについての情報に基づいてサブフレームカウンタ２１１のカウントアップのタイミングを予め調節している。
【００３８】
このようにＨＳ−ＰＤＳＣＨのSubframe#0〜#4それぞれについてのＡＣＫ／ＮＡＣＫ信号は、サブフレームカウンタ２１１のカウンタ値に対応付けされたレジスタ２０２の保持部「レジスタ０〜４」に順次入力されて保持されることになる。そして、これらのレジスタ０〜４に保持されたＡＣＫ／ＮＡＣＫ信号は、サブフレームカウンタ２２１のカウンタ値が次の値にカウントアップされる直前にセレクタ２０３によって取り出されて符号化部１２１に入力される。ここで、ＨＳ−ＰＤＳＣＨのSubframe#4についてのＡＣＫ／ＮＡＣＫ信号がレジスタ４に入力された後には、次のＣＦＮ番号に対応するＨＳ−ＰＤＳＣＨのSubframe#0についてのＡＣＫ／ＮＡＣＫ信号がレジスタ０に入力されるため、それまでレジスタ０に保持されていたＡＣＫ／ＮＡＣＫ信号は上書き消去されることになる。しかしながら、レジスタ２０２はＨＳ−ＰＤＳＣＨのサブフレーム毎に生成されるＡＣＫ／ＮＡＣＫ信号を個別に保持する５つの保持部「レジスタ０〜４」を具備し、また受信部１１０にＨＳ−ＰＤＳＣＨの任意のサブフレームが入力されてからそのサブフレームについてのＡＣＫ／ＮＡＣＫ信号がアンテナ素子１０１から基地局に無線送信されるまでの期間は７．５スロットであるため、レジスタ０〜４に保持されるＡＣＫ／ＮＡＣＫ信号がセレクタ２０３によって取り出される前に上書き消去されてしまう事態は生じ得ない。
【００３９】
また、復号化部１１４からレジスタ２０２にＡＣＫ／ＮＡＣＫ信号が順次入力されて保持されるのと並行して、サブフレームカウンタ２２１は、受信部１１０がＨＳ−ＰＤＳＣＨのSubframe#1のパケットデータを受信完了した時から７．５スロット経過した時にそのSubframe#1についてのＡＣＫ／ＮＡＣＫ信号がアンテナ素子１０１から基地局へ無線送信されるように、符号化部１２１においてＨＳ−ＤＰＣＣＨのＡＣＫ／ＮＡＣＫフィールドにそのSubframe#1のＡＣＫ／ＮＡＣＫ信号が格納されるべきタイミングを算出する。そして、サブフレームカウンタ２２１は、算出されたタイミングの直後に、そのカウンタ値が「１」から「２」にカウントアップされるようにカウントアップのタイミングを調節する。ここで、セレクタ２０３は、サブフレームカウンタ２２１のカウンタ値を常時監視しており、カウンタ値が「１」から「２」にカウントアップされるタイミングを感知してその直前に、レジスタ１に保持されているＡＣＫ／ＮＡＣＫ信号を取り出して符号化部１２１に入力する。また、符号化部１２１には、このＡＣＫ／ＮＡＣＫ信号の入力と前後して復調部１１３からＣＱＩが入力されてくる。
【００４０】
符号化部１２１では、ＨＳ−ＰＤＳＣＨのSubframe#1についてのＡＣＫ／ＮＡＣＫ信号がＨＳ−ＤＰＣＣＨのＡＣＫ／ＮＡＣＫフィールドに格納されると伴に、復調部１１３から入力されてきたＣＱＩがＨＳ−ＤＰＣＣＨのＣＱＩフィールドに格納される。そして、ＡＣＫ／ＮＡＣＫ信号及びＣＱＩがそれぞれ格納された送信信号は、符号化部１２１で符号化処理され、続いて変調部１２２でＱＰＳＫ方式等により変調され、続いて拡散器１２３で拡散処理され、ＨＳ−ＰＤＳＣＨのSubframe#1のパケットデータを受信完了した時から７．５スロット経過した時にアンテナ素子１０１から基地局へ無線送信される。
【００４１】
このように本実施の形態では、サブフレームカウンタ２１１、２２１のカウンタ値は、ＤＬ−ＤＰＣＨのＣＦＮ番号に対応する５つのサブフレームの番号と同じとされ、またレジスタ２０２の５つの保持部「レジスタ０〜４」と個々に対応付けされている。従って、セレクタ２０１、２０３は、サブフレームカウンタ２１１、２２１のカウンタ値を監視するだけで、ＡＣＫ／ＮＡＣＫ信号を入力する又は取り出すべきレジスタ０〜４のいずれかを瞬時に特定でき、かつ、特定されたレジスタ０〜４からＡＣＫ／ＮＡＣＫ信号を取り出すべきタイミングを感知することができる。
【００４２】
このように、本実施の形態に係る通信端末装置１００によれば、受信部１１０と送信部１２０との間にＨＳ−ＰＤＳＣＨのサブフレーム毎に生成されるＡＣＫ／ＮＡＣＫ信号を個別に５つ保持するレジスタ２０２が具備されるため、受信部１１０における受信信号の復調処理及び復号化処理の処理時間の長短にかかわらず、これらのＡＣＫ／ＮＡＣＫ信号を確実に送信部１２０に入力し、さらには基地局へ無線送信することができる。
【００４３】
また、本実施の形態に係る通信端末装置１００によれば、レジスタ２０２がＤＬ−ＤＰＣＨのＣＦＮ番号に対応する５つのサブフレームの番号に個々に対応付けされた５つの保持部即ちレジスタ０〜４を具備するため、セレクタ２０１、２０３がサブフレームカウンタ２１１、２２１のカウンタ値を監視するだけでＡＣＫ／ＮＡＣＫ信号を入力する又は取り出すべきレジスタ０〜４のいずれかを特定し、さらにそのＡＣＫ／ＮＡＣＫ信号を取り出すべきタイミングも感知できることから、Ｉ／Ｆレジスタ１０３及びその周辺の回路構成を簡素化でき、かつ、それらを容易に管理・制御できるようになる。
【００４４】
また、本実施の形態に係る通信端末装置１００について、次のように変形したり、応用したりしてもよい。
【００４５】
本実施の形態では、レジスタ２０２がＡＣＫ／ＮＡＣＫ信号を個別に保持する５つの保持部「レジスタ０〜４」を具備する場合について説明したが、本発明はこの場合に限定されるものではなく、例えばレジスタ２０２に保持されるＡＣＫ／ＮＡＣＫ信号が符号化部１２１に入力される前に上書き消去されることがなければ、レジスタ２０２の保持部を２〜４つ、或いは６つ以上設けてもよい。しかしながら、レジスタ２０２が保持部を２つ具備する場合は、ＡＣＫ／ＮＡＣＫ信号がその２つの保持部に交互に格納されることになるため、受信信号の伝送レートやデータサイズによっては復調処理及び復号化処理の処理時間が変動してしまい、レジスタ２０２に保持されるＡＣＫ／ＮＡＣＫ信号が符号化部１２１に入力される前に上書き消去されてしまう恐れがある。また、レジスタ２０２が保持部を３つ又は４つ具備する場合は、受信部１１０における受信信号の復調処理及び復号化処理の処理時間に応じてＡＣＫ／ＮＡＣＫ信号を入力するレジスタ２０２の保持部を適応的に選択しなければならなくなるため、セレクタ２０１の制御が複雑化するという問題が生じる。また、レジスタ２０２が保持部を６つ以上具備する場合は、保持部を５つ具備する場合と比較して、特に優れた作用・効果が奏されることはないため、通信端末装置１００の消費電力等を勘案すれば、レジスタ２０２が保持部を６つ以上具備する利点は少ない。
【００４６】
（実施の形態２）
図４に、本発明の実施の形態２に係る通信端末装置の構成の一部を示す。本実施の形態に係る通信端末装置は、実施の形態１に係る通信端末装置１００において、レジスタ２０２の代わりにメモリ４０２を具備するものである。従って、本実施の形態に係る通信端末装置の構成要素の殆どは、実施の形態１に係る通信端末装置１００の構成要素と同様の機能を発揮する。そこで、本実施の形態では、実施の形態１に係る通信端末装置１００の構成要素と同様の機能を発揮する構成要素については、重複をさけるため、その説明を割愛する。
【００４７】
メモリ４０２では、そのアドレス空間に５つのメモリ空間「Adress xx0〜xx4」が予め確保される。メモリ４０２には、復号化部１１４から入力されてくるＡＣＫ／ＮＡＣＫ信号をメモリ４０２に入力し、かつ、メモリ４０２から入力されてくるＡＣＫ／ＮＡＣＫ信号を符号化部１２１に入力するデータバスと、復号化部１１４から入力されてくるＡＣＫ／ＮＡＣＫ信号が保持されるメモリ空間をサブフレームカウンタ２１１のカウンタ値に対応付けて指定すると伴に、サブフレームカウンタ２２１のカウンタ値に対応付けされたメモリ空間に保持されているＡＣＫ／ＮＡＣＫ信号を取り出すタイミングを通知するアドレスバスと、がそれぞれ接続される。そして、メモリ４０２は、サブフレームカウンタ２２１のカウンタ値が次の値にカウントアップされる直前に、アドレスバスからの通知に応じて現カウンタ値に対応付けされたメモリ空間に保持されるＡＣＫ／ＮＡＣＫ信号をデータバスに入力することによって符号化部１２１に入力する。
【００４８】
このように、本実施の形態によれば、汎用性の高いメモリ４０２を用いても実施の形態１に係る通信端末装置１００と同様の作用・効果を奏することができるため、通信端末装置の部品の共用化を促進することができ、回路の集積化及び省電力化を図ることができる。
【産業上の利用可能性】
【００４９】
本発明に係るＨＳＤＰＡ方式による通信端末装置は、受信部における受信信号の復調処理及び復号化処理の処理時間の長短にかかわらず、サブフレーム毎のＡＣＫ／ＮＡＣＫ信号を基地局に確実に、かつ、簡便に送信することができるという効果を有し、ＨＳＤＰＡ方式で使用される携帯電話等の移動局等として有用である。
【図面の簡単な説明】
【００５０】
【図１】本発明の実施の形態１に係る通信端末装置の構成を示すブロック図
【図２】実施の形態１におけるインターフェースレジスタ周辺の構成を示すブロック図
【図３】本発明の実施の形態１に係る通信端末装置の動作を示すタイミング図
【図４】本発明の実施の形態２におけるメモリ周辺の構成を示すブロック図
【図５】ＨＳＤＰＡ方式で規定された各チャネルのフレームフォーマットを示す図
【図６】ＤＬ−ＤＰＣＨのフレームフォーマットを示す図
【図７】ＨＳＤＰＡ方式で規定された各チャネルのタイミング関係を示す図
【図８】ＨＳＤＰＡ方式で規定された各チャネルのタイミング関係を示す図
【図９】ＨＳＤＰＡ方式で規定された各チャネルのタイミング関係を示す図
【図１０】従来の通信端末装置の動作を示すタイミング図
【符号の説明】
【００５１】
１００  通信端末装置
１０１  アンテナ素子
１０２  アンテナ共用器
１０３  ＡＣＫ／ＮＡＣＫ−インターフェースレジスタ
１１０  受信部
１１１  ＲｘＲＦ部
１１２  逆拡散器
１１３  復調部
１１４  復号化部
１２０  送信部
１２１  符号化部
１２２  変調部
１２３  拡散器
１２４  ＴｘＲＦ部
２０１、２０３  セレクタ
２０２  レジスタ
２１１、２２１  サブフレームカウンタ
４０２  メモリ
【図１】
2005136597.tif 000003
【図２】
2005136597.tif 000004
【図３】
2005136597.tif 000005
【図４】
2005136597.tif 000006
【図５】
2005136597.tif 000007
【図６】
2005136597.tif 000008
【図７】
2005136597.tif 000009
【図８】
2005136597.tif 000010
【図９】
2005136597.tif 000011
【図１０】
2005136597.tif 000012